【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
下記一般式（１）で表されるアゾ化合物、若しくはその互変異性体、又はそれらの塩。
【化１】
2015067814.tif 000001
一般式（１）中、Ｒ１はヒドロキシ基、アルキルチオ基、アルキルオキシ基、アルキルアミノ基、アルキルカルボニルアミノ基、アルキルスルファモイル基、アルキルスルホニル基、シアノ基、ニトロ基、ハロゲン原子、又はスルファモイル基を表し、上記アルキルチオ基、アルキルオキシ基、アルキルアミノ基、アルキルカルボニルアミノ基、アルキルスルファモイル基、及びアルキルスルホニル基は、ヒドロキシ基、スルホ基、リン酸基、及びカルボキシル基から選ばれる少なくとも１つの基で置換されていてもよい。
Ｒ１が複数存在する場合、複数のＲ１は同じでも異なっていてもよい。
ｎ１は０〜２の整数を表す。
Ｒ２はスルホ基、リン酸基、又はカルボキシル基を表す。
Ｒ２が複数存在する場合、複数のＲ２は同じでも異なっていてもよい。
ただし、Ｒ２はアゾ基に対するオルト位には結合しない。
ｎ２は１〜３の整数を表す。
Ｒ３はアルキルチオ基、アルキルオキシ基、アルキルアミノ基、アルキルカルボニルアミノ基、アルキルスルファモイル基、又はアルキル基を表し、上記アルキルチオ基、アルキルオキシ基、アルキルアミノ基、アルキルカルボニルアミノ基、アルキルスルファモイル基、及びアルキル基は、ヒドロキシ基、スルホ基、リン酸基、及びカルボキシル基から選ばれる少なくとも１つの基で置換されていてもよい。
Ｒ３が複数存在する場合、複数のＲ３は同じでも異なっていてもよい。
ただし、ｎ個の環Ｂには、それぞれＲ３として、アルキルチオ基、アルキルオキシ基、アルキルアミノ基、及びアルキル基から選ばれる少なくとも１つが置換する。
ｎ３は１又は２を表す。ｎ個存在するｎ３はそれぞれ同じでも異なっていてもよい。
環Ｂは、ベンゼン環又はナフタレン環を表す。ｎ個存在する環Ｂはそれぞれ同じでも異なっていてもよい。
ｎは２又は３を表す。
Ｇは下記一般式（ａ）〜（ｍ）から選ばれる基を表す。
【化２】
2015067814.tif 000002
Ｒ６〜Ｒ１７、Ｒ１９〜Ｒ４０はそれぞれ独立に、水素原子、アルキル基、アリール基、シクロアルキル基、アルキルオキシカルボニル基、ヘテロ環基、ハロゲン原子、ニトロ基、シアノ基、又はイオン性親水性基を表す。上記アルキル基、アリール基、シクロアルキル基、アルキルオキシカルボニル基、及びヘテロ環基は更に置換基を有していてもよい。
Ｒ８とＲ９、Ｒ１０とＲ１１はそれぞれ結合して芳香環を形成してもよい。
Ｒ１８は酸素原子又は硫黄原子を表す。
ただし、一般式（１）で表される化合物は、スルホ基、リン酸基、及びカルボキシル基から選ばれる少なくとも１種を１分子あたりに合計でｎ＋１個以上有する。
【請求項２】
Ｇが一般式（ｄ）、（ｆ）、（ｇ）、（ｉ）、又は（ｍ）である請求項１に記載のアゾ化合物、若しくはその互変異性体、又はそれらの塩。
【請求項３】
ｎが３である請求項１又は２に記載のアゾ化合物、若しくはその互変異性体、又はそれらの塩。
【請求項４】
前記一般式（１）が、下記一般式（２）で表される請求項１〜３のいずれか１項に記載のアゾ化合物、若しくはその互変異性体、又はそれらの塩。
【化３】
2015067814.tif 000003
一般式（２）中、Ｒ２１はヒドロキシ基、アルキルチオ基、アルキルオキシ基、アルキルアミノ基、アルキルカルボニルアミノ基、アルキルスルファモイル基、アルキルスルホニル基、シアノ基、ニトロ基、ハロゲン原子、又はスルファモイル基を表し、上記アルキルチオ基、アルキルオキシ基、アルキルアミノ基、アルキルカルボニルアミノ基、アルキルスルファモイル基、及びアルキルスルホニル基は、ヒドロキシ基、スルホ基、リン酸基、及びカルボキシル基から選ばれる少なくとも１つの基で置換されていてもよい。
Ｒ２１が複数存在する場合、複数のＲ２１は同じでも異なっていてもよい。
ｎ２１は０〜２の整数を表す。
Ｒ２２はスルホ基、リン酸基、又はカルボキシル基を表す。
Ｒ２２が複数存在する場合、複数のＲ２２は同じでも異なっていてもよい。
ただし、Ｒ２２はアゾ基に対するオルト位には結合しない。
ｎ２２は１〜３の整数を表す。
Ｒ２３〜Ｒ２８はそれぞれ独立に、水素原子、アルキルチオ基、アルキルオキシ基、アルキルアミノ基、アルキルカルボニルアミノ基、アルキルスルファモイル基、又はアルキル基を表し、上記アルキルチオ基、アルキルオキシ基、アルキルアミノ基、アルキルカルボニルアミノ基、アルキルスルファモイル基、及びアルキル基は、ヒドロキシ基、スルホ基、リン酸基、及びカルボキシル基から選ばれる少なくとも１つの基で置換されていてもよい。
ただし、Ｒ２４、Ｒ２６、及びＲ２８は、それぞれ独立に、アルキルチオ基、アルキルオキシ基、アルキルアミノ基、又はアルキル基を表す。
Ｇ２は、前記一般式（ａ）〜（ｍ）から選ばれる基を表す。
ただし、一般式（２）で表される化合物は、スルホ基、リン酸基、及びカルボキシル基から選ばれる少なくとも１種を１分子あたりに合計で４個以上有する。
【請求項５】
Ｇ又はＧ２が一般式（ｍ）である請求項１〜４のいずれか１項に記載のアゾ化合物、若しくはその互変異性体、又はそれらの塩。
【請求項６】
前記一般式（１）又は（２）が、下記一般式（３）で表される請求項１〜５のいずれか１項に記載のアゾ化合物、若しくはその互変異性体、又はそれらの塩。
【化４】
2015067814.tif 000004
一般式（３）中、Ｒ２１はヒドロキシ基、アルキルチオ基、アルキルオキシ基、アルキルアミノ基、アルキルカルボニルアミノ基、アルキルスルファモイル基、アルキルスルホニル基、シアノ基、ニトロ基、ハロゲン原子、又はスルファモイル基を表し、上記アルキルチオ基、アルキルオキシ基、アルキルアミノ基、アルキルカルボニルアミノ基、アルキルスルファモイル基、及びアルキルスルホニル基は、ヒドロキシ基、スルホ基、リン酸基、及びカルボキシル基から選ばれる少なくとも１つの基で置換されていてもよい。
Ｒ２１が複数存在する場合、複数のＲ２１は同じでも異なっていてもよい。
ｎ２１は０〜２の整数を表す。
Ｒ２２はスルホ基、リン酸基、又はカルボキシル基を表す。
Ｒ２２が複数存在する場合、複数のＲ２２は同じでも異なっていてもよい。
ただし、Ｒ２２はアゾ基に対するオルト位には結合しない。
ｎ２２は１〜３の整数を表す。
Ｒ２３〜Ｒ２８はそれぞれ独立に、水素原子、アルキルチオ基、アルキルオキシ基、アルキルアミノ基、アルキルカルボニルアミノ基、アルキルスルファモイル基、又はアルキル基を表し、上記アルキルチオ基、アルキルオキシ基、アルキルアミノ基、アルキルカルボニルアミノ基、アルキルスルファモイル基、及びアルキル基は、ヒドロキシ基、スルホ基、リン酸基、及びカルボキシル基から選ばれる少なくとも１つの基で置換されていてもよい。
ただし、Ｒ２４、Ｒ２６、及びＲ２８は、それぞれ独立に、アルキルチオ基、アルキルオキシ基、アルキルアミノ基、又はアルキル基を表す。
Ｒ３１及びＲ３２はそれぞれ独立に、アルキル基、カルボキシル基、スルホ基、又はハロゲン原子を表す。
Ｒ３１及びＲ３２は複数存在する場合はそれぞれ同じでも異なっていてもよい。
ｎ３１及びｎ３２はそれぞれ独立に０〜２の整数を表す。
ただし、一般式（３）で表される化合物は、スルホ基、リン酸基、及びカルボキシル基から選ばれる少なくとも１種を１分子あたりに合計で４個以上有する。
【請求項７】
請求項１〜６のいずれか１項に記載のアゾ化合物、若しくはその互変異性体、又はそれらの塩を含有する着色組成物。
【請求項８】
請求項７に記載の着色組成物を含むインクジェット記録用インク。
【請求項９】
請求項８に記載のインクジェット記録用インクを用いるインクジェット記録方法。
【請求項１０】
請求項８に記載のインクジェット記録用インクを充填したインクジェットプリンタカートリッジ。
【請求項１１】
請求項８に記載のインクジェット記録用インクを用いて、被記録材に着色画像を形成したインクジェット記録物。
【手続補正２】
【補正対象書類名】明細書
【補正対象項目名】００１２
【補正方法】変更
【補正の内容】
【００１２】
Ｒ６〜Ｒ１７、Ｒ１９〜Ｒ４０はそれぞれ独立に、水素原子、アルキル基、アリール基、シクロアルキル基、アルキルオキシカルボニル基、ヘテロ環基、ハロゲン原子、ニトロ基、シアノ基、又はイオン性親水性基を表す。上記アルキル基、アリール基、シクロアルキル基、アルキルオキシカルボニル基、及びヘテロ環基は更に置換基を有していてもよい。
Ｒ８とＲ９、Ｒ１０とＲ１１はそれぞれ結合して芳香環を形成してもよい。
Ｒ１８は酸素原子又は硫黄原子を表す。
ただし、一般式（１）で表される化合物は、スルホ基、リン酸基、及びカルボキシル基から選ばれる少なくとも１種を１分子あたりに合計でｎ＋１個以上有する。
〔２〕
Ｇが一般式（ｄ）、（ｆ）、（ｇ）、（ｉ）、又は（ｍ）である上記〔１〕に記載のアゾ化合物、若しくはその互変異性体、又はそれらの塩。
〔３〕
ｎが３である上記〔１〕又は〔２〕に記載のアゾ化合物、若しくはその互変異性体、又はそれらの塩。
〔４〕
上記一般式（１）が、下記一般式（２）で表される上記〔１〕〜〔３〕のいずれか１項に記載のアゾ化合物、若しくはその互変異性体、又はそれらの塩。